(57)【要約】      （修正有）【課題】ごみ袋を装着する際の作業性が良く、安価な構成のごみ収納具を提供する。【解決手段】底部１１と側壁部１２を有する収納具本体１と、収納具本体１の内側面に配置される保持部材２を有し、買い物袋等を使い捨て用のごみ袋として、収納具本体１内に配置すると共に、ごみ袋の上部の余り部分を保持部材２の位置で折り返して、保持部材２と収納具本体１の間から下方に挿入可能な構成を有するごみ収納具において、保持部材２の左右の端部が固定部２１によって収納具本体１に固定され、収納具本体１の側壁部１２と保持部材２が、変形可能に構成されることよって、収納具本体１と保持部材２の固定部２１間における互いの相対的な距離は、少なくともごみ袋の装着状態において近接するように構成され、ごみ袋の装着作業時において離間可能に構成する。【選択図】図１
0003218693.tif 000002
【実用新案登録請求の範囲】
【請求項１】
底部と、前記底部の周囲位置において上方に向かって形成される筒状の側壁部と、を有する収納具本体と、
前記収納具本体の側壁部の内側面の上方位置に配置される保持部材と、
を有し、
ごみ袋の装着状態において、前記収納具本体の内側面には、ごみ袋が配置可能に構成されると共に、前記ごみ袋の上部の余り部分を前記保持部材の位置で折り返して、前記保持部材と前記収納具本体の間から下方に向かって挿入可能に構成される、ごみ収納具において、
前記保持部材は、前記収納具本体への配置状態において、上下方向よりも左右方向の長さが長く形成され、
前記保持部材の左右の端部は、固定手段によって前記収納具本体に固定され、
前記収納具本体の側壁部と前記保持部材が、夫々変形可能に構成されることよって、前記収納具本体と前記保持部材の固定部間における互いの相対的な距離は、少なくとも前記ごみ袋の装着状態において近接するように構成され、前記ごみ袋の装着作業時において離間可能に構成されることを特徴とするごみ収納具。
【請求項２】
前記保持部材が一対のベルト状部材からなり、夫々の前記保持部材の左右の端部が、縫製によって前記収納具本体に固定される構成よりなることを特徴とする請求項１記載のごみ収納具。
【請求項３】
少なくとも前記保持部材は、前記保持部材と前記収納具の互いの相対的な距離を近接する方向に付勢可能な弾性を有することを特徴とする請求項１または２記載のごみ収納具。
【請求項４】
前記収納具本体の底部に高重量部材が配置されることを特徴とする請求項１〜３の何れか１項記載のごみ収納具。
【請求項５】
前記収納具本体の側壁部に吊下げ用のベルト部材が接続されることを特徴とする請求項１〜４の何れか１項記載のごみ収納具。
【請求項６】
前記収納具本体に装着可能な、複数枚を積層して構成されたごみ袋が予め用意されることを特徴とする請求項１〜５の何れか１項記載のごみ収納具。
【考案の詳細な説明】
【技術分野】
【０００１】
本考案は、底部と側壁部を有する収納具本体と、前記収納具本体の内側面に配置される保持部材を有し、買い物袋等を使い捨て用のごみ袋として、前記収納具本体内に配置すると共に、前記ごみ袋の上部の余り部分を前記保持部材の位置で折り返して、前記保持部材と前記収納具本体の間から下方に挿入可能な構成を有する、ごみ収納具に関する。
【背景技術】
【０００２】
従来の、買い物袋等を使い捨て用のごみ袋として前記収納具本体内に配置すると共に、前記ごみ袋の上部の余り部分を前記保持部材の位置で折り返して、前記保持部材と収納具本体の間から挿入可能な、ごみ収納具の構造として特開２００４−９１２０６号公報の実施例１に記載のごみ箱は、図１３に示す様に、ごみ箱筒体４１の開口部内側に、支持ブラケット５１によってフレーム６１を、ごみ箱筒体内側面との間に手指が入る程度の間隙を空けて支持し、フレーム６１の内側に挿入したごみ袋の余り部分を前記間隙に折り返して落とし込むようにしたごみ箱構成が開示されており、ごみ袋の余り部分を前記間隙に折り返して落とし込むために、フレーム６１を支持する支持ブラケット５１は振れ方向には柔軟で、ごみ袋の余り部分の落とし込みに際して手指の動きによる若干の変位を許容し、作業を容易にするよう構成が開示されている。
【０００３】
この特開２００４−９１２０６号公報の実施例２に記載のごみ箱は、図１４に示すように、ごみ袋の余り部分を前記間隙に折り返して落とし込むために、フレーム６２の中央支持部６３はごみ箱筒体４２の筒壁にアンカーブラケット５２とリベット５３ により固定され、フレーム６２ は若干の弾性を有して開き勝手であるが、開放端６４がごみ箱筒体４２の孔４３で拘束されて、一定の間隔で離れて配置され、ごみ袋をごみ箱筒体４２の内部に挿入し、フレーム６２の解放端６４を手指でつまんで引き寄せれば間隙が拡大し、ごみ袋上端の余り部分を折り返して容易に落とし込むことができ、つまんでいたフレーム６２の解放端６４を放せば弾性により間隙 が縮小してごみ袋を安定させる構成が開示されている。
【０００４】
この特開２００４−９１２０６号公報の実施例３に記載のごみ箱は、図１５に示すように、ごみ袋の余り部分を前記間隙に折り返して落とし込むために、フレーム６５は、その中央部６６がごみ箱筒体４４に固定されたヒンジブラケット５４により係留されて、フレーム６５がヒンジ回りに回転可能に構成され、フレーム６５をごみ箱筒体４４の開口部定位置に保持するためにホルダー５５が複数個、ごみ箱筒体４４の内壁面に取り付けられており、ごみ袋余り部分の落とし込みに際して、フレーム６５を持ち上げることにより間隙が拡大して容易に作業することができる構成が開示されている。
【０００５】
しかしながら、この特開２００４−９１２０６号公報に記載の技術では、何れの実施例もブラケット（支持ブラケット５１、アンカーブラケット５２、ヒンジブラケット５４）を介して、フレーム６１、６２、６５をごみ箱筒体４１、４２、４４に固定する構造からなるため、フレームをごみ箱筒体内側面との間に手指が入る程度の間隙を空けて支持した状態を維持するためには、ごみ箱の筒体自体が剛性を有する構造に限定されると共に、ごみ袋の余り部分をごみ箱の筒体とフレームの間隙に折り返して落とし込む際の作業を容易にするために、部品点数が多くなり製造コストが上昇する欠点があった。
【先行技術文献】
【特許文献】
【０００６】
【特許文献１】特開２００４−９１２０６号公報
【考案の概要】
【考案が解決しようとする課題】
【０００７】
本考案のごみ収納具は、底部と側壁部を有する収納具本体と、前記収納具本体の内側面に配置される保持部材を有し、買い物袋等を使い捨て用のごみ袋として、前記収納具本体内に配置すると共に、前記ごみ袋の上部の余り部分を前記保持部材の位置で折り返して、前記保持部材と収納具本体の間から挿入可能なごみ収納具において、前記ごみ袋の上部の余り部分を前記保持部材の位置で折り返して、前記保持部材と収納具本体の間から挿入する際の作業性が良く、更に安価な構成のごみ収納具を得ることを課題とする。
【課題を解決するための手段】
【０００８】
本考案のごみ収納具は、底部と、前記底部の周囲位置において上方に向かって形成される筒状の側壁部と、を有する収納具本体と、前記収納具本体の側壁部の内側面の上方位置に配置される保持部材と、を有し、ごみ袋の装着状態において、前記収納具本体の内側面には、ごみ袋が配置可能に構成されると共に、前記ごみ袋の上部の余り部分を前記保持部材の位置で折り返して、前記保持部材と前記収納具本体の間から下方に向かって挿入可能に構成される、ごみ収納具において、前記保持部材は、前記収納具本体への配置状態において、上下方向よりも左右方向の長さが長く形成され、前記保持部材の左右の端部は、固定手段によって前記収納具本体に固定され、前記収納具本体の側壁部と前記保持部材が、夫々変形可能に構成されることよって、前記収納具本体と前記保持部材の固定部間における互いの相対的な距離は、少なくとも前記ごみ袋の装着状態において近接するように構成され、前記ごみ袋の装着作業時において離間可能に構成されることを特徴とする。
【０００９】
更に、前記保持部材が一対のベルト状部材からなり、夫々の前記保持部材の左右の端部が、縫製によって前記収納具本体に固定される構成されると良い。
【００１０】
更に、少なくとも前記保持部材は、前記保持部材と前記収納具の互いの相対的な距離を近接する方向に付勢可能な弾性を有すると良い。
【００１１】
更に、前記収納具本体の底部に高重量部材が配置されると良い。
【００１２】
更に、前記収納具本体の側壁部に吊下げ用のベルト部材が接続されると良い。
【００１３】
また、前記収納具本体に装着可能な、複数枚を積層して構成されたごみ袋を予め用意しても良い。
【考案の効果】
【００１４】
本考案のごみ収納具は、前記収納具本体の側壁部と前記保持部材が、夫々変形可能に構成されることよって、前記ごみ袋の上部の余り部分を前記保持部材の位置で折り返して、前記保持部材と収納具本体の間から挿入する際の作業性を向上させることができ、更に部品点数が少なく、製造も容易であるため安価な構成のごみ収納具を得ることができる効果を有する。
効果を有する。
【図面の簡単な説明】
【００１５】
【図１】本考案の実施形態に係るごみ収納具の斜視図である。
【図２】本考案の実施形態に係るごみ収納具を正面から見た断面図である。
【図３】図２で示す本考案の実施形態に係るごみ収納具に、ごみ袋を装着する過程を示す参考図である。
【図４】図２で示す本考案の実施形態に係るごみ収納具に、ごみ袋を装着した状態を示す参考図である。
【図５】本考案の実施形態に係るごみ収納具を側面から見た断面図である。
【図６】図５で示す本考案の実施形態に係るごみ収納具に、ごみ袋を装着する過程を示す参考図である。
【図７】図５で示す本考案の実施形態に係るごみ収納具に、ごみ袋を装着する過程を示す参考図である。
【図８】図５で示す本考案の実施形態に係るごみ収納具に、ごみ袋を装着した状態を示す参考図である。
【図９】本考案の実施形態に係るごみ収納具の平面図である。
【図１０】図９で示す本考案の実施形態に係るごみ収納具に、ごみ袋を装着する過程を示す参考図である。
【図１１】図９で示す本考案の実施形態に係るごみ収納具に、ごみ袋を装着する過程を示す参考図である。
【図１２】図９で示す本考案の実施形態に係るごみ収納具に、ごみ袋を装着した状態を示す参考図である。
【図１３】従来技術のごみ収納具を示す斜視図である。
【図１４】従来技術のごみ収納具を示す斜視図である。
【図１５】従来技術のごみ収納具を示す斜視図である。
【考案を実施するための形態】
【００１６】
以下、本考案の実施例を添付された図面に基づいて説明する。
【実施例１】
【００１７】
図１〜図１２に図示するように、本考案のごみ収納具の実施例は、底部１１と、前記底部１１の周囲位置において上方に向かって形成される筒状の側壁部１２と、を有する収納具本体１と、前記収納具本体１の側壁部１２の内側面の上方位置に対向して配置される一対の保持部材２と、を有し、ごみ袋７０の装着状態において、前記収納具本体１の内側面には、ごみ袋７０が配置可能に構成されると共に、前記ごみ袋７０の上部の余り部分７１を前記保持部材２の位置で折り返し、前記保持部材２と前記収納具本体１の間から下方に向かって挿入可能に構成される。
【００１８】
前記保持部材２の左右方向の一方の位置と他方の位置が夫々固定手段３によって前記収納具本体１に固定され、前記収納具本体１の側壁部１２と前記保持部材２が、夫々変形可能に構成されることよって、前記側壁部１２と前記保持部材２の固定部間における互いの相対的な距離は、前記ごみ袋７０の装着作業時において離間可能に構成されると共に、前記ごみ袋７０の前記ごみ袋の未装着状態および装着状態において近接するように構成される。
【００１９】
本実施例において、前記収納具本体１は、柔軟性を有するシート状素材を縫製によって、前方および後方の側壁部１２の幅を、左右の位置の側壁部１２の幅よりも広く形成したものであるが、本考案の前記シート状素材は、容易に変形可能な素材であれば良く、織物、合成樹脂シート、皮革、合成皮革等、公知の素材を単独もしくは重ね合わせて使用することができ、更に前記収納具本体１の形成方法も、縫製に限定されず、接着や溶着、機械的結合等を一部もしくは全体に用いるなど、他の既存の方法で前記収納具本体１を形成しても良い。
【００２０】
本実施例において、前記保持部材２は、前記収納具本体１の前方の側壁部１２と、後方の側壁部１２の内側面に、夫々配置され、上前記収納具本体１への配置状態において、上下方向よりも左右方向の長さが長いベルト状の樹脂材料からなり、左右方向の一方の位置と他方の位置の夫々の端部位置には前記収納具本体１に固定される固定部２１を有し、本考案において、前記保持部材２は、容易に変形可能な素材であれば良く、織物、合成樹脂シート、皮革、合成皮革、金属等、公知の素材を単独もしくは重ね合わせて使用することができるが、樹脂や金属等の弾性変形する素材を使用することによって、前記保持部材と前記収納具の互いの相対的な距離を近接する方向に付勢する様に構成すれば、前記ごみ袋の上部の余り部分を前記収納具本体と前記保持部材の間にしっかりと固定することができる。
【００２１】
本実施例において前記保持部材２と前記収納具本体１との固定部２１は、縫製によって固定されるが、本考案において前記保持部材2の前記収納具本体1への固定方法はリベット状部材や、接着、溶着等、他の既存の固定方法によって固定しても良い。
【００２２】
更に、前記収納具本体１の底部１１の内面に、砂袋や、金属板等の高重量部材３を配置することによって、例えば自動車の室内等、揺れが激しい環境で使用しても容易に倒れずに使用できる効果を有する。
【００２３】
また、前記収納具本体１の側壁部１２に吊下げ用のベルト部材が接続されることによって、自動車のヘッドレストポールなどに吊下げて使用することが出来るようになる。（図示せず）
尚、ベルト部材の前記収納具本体１への接続構造は既存の接続具を介して着脱自在に構成してもよく、縫製等により直接固定しても良い。
【００２４】
尚、本考案のごみ収納具において、前記収納具本体１内にごみ袋を装着する場合は、買い物の際に配布されるレジ袋を使用すると好適であるが、例えば複数枚のごみ袋を重ねて構成された専用のごみ袋を予め用意し、１枚ずつ、上端部を本考案の保持部材に掛けて使用するようにしても良い。
【産業上の利用可能性】
【００２５】
本考案のごみ収納具は、上部に開口を有する有底の収納具本体と、前記収納具本体の内側面に配置される保持部材を有し、買い物袋等を使い捨て用のごみ袋として、前記収納具本体内に配置すると共に、前記ごみ袋の上部の余り部分を前記保持部材の位置で折り返して、前記保持部材と前記収納具本体の間から挿入可能な、ごみ収納具として、産業上有効に利用することができる。
【符号の説明】
【００２６】
１：収納具本体、２：保持部材、３：高重量部材、１１：底部、１２：側壁部、２１：固定部、４１：ごみ箱筒体、４２：ごみ箱筒体、４３：孔、４４：ごみ箱筒体、５１：支持ブラケット、５２：アンカーブラケット、５３：リベット、５４：ヒンジブラケット、５５：ホルダー、６１：フレーム、６２：フレーム、６３：中央支持部、６４：解放端、６５：フレーム、６６：中央部、７０：ごみ袋、７１：余り部分、
【図１】
0003218693.tif 000003
【図２】
0003218693.tif 000004
【図３】
0003218693.tif 000005
【図４】
0003218693.tif 000006
【図５】
0003218693.tif 000007
【図６】
0003218693.tif 000008
【図７】
0003218693.tif 000009
【図８】
0003218693.tif 000010
【図９】
0003218693.tif 000011
【図１０】
0003218693.tif 000012
【図１１】
0003218693.tif 000013
【図１２】
0003218693.tif 000014
【図１３】
0003218693.tif 000015
【図１４】
0003218693.tif 000016
【図１５】
0003218693.tif 000017